(57)【特許請求の範囲】
【請求項１】
扉本体に設けられた開口部に嵌め込まれる板材を、その周縁部の表裏両側から細長い第１板押え部材と第２板押え部材とで挟持することによって固定する扉の板押え構造であって、第１板押え部材は、上記扉本体の開口部の木口面において上記板材の周縁部の表裏一方側に位置する突起部と、該突起部から扉本体の表裏一方の側面に沿うように延びる延設部と、該突起部から木口面に沿って延びる平坦部と、該平坦部における上記突起部と板材を挟んで反対側に突設された係合部とを有すると共に、第２板押え部材は、上記第１板押え部材の係合部と板材との間に上記開口部内方から該板材の面に平行に挿入されて第１板押え部材の係合部に係合し、この状態で第１板押え部材の突起部との間で板材の周縁部を挟持する挟持部と、該挟持部の開口部内方側の端部から扉本体の表裏他方側に延びる平坦部と、該平坦部から扉本体の表裏他方の側面に沿うように延びる延設部と、該延設部に設けられて、扉本体の木口面に係合するストッパ部とを有しており、かつ、上記第１板押え部材の延設部と第２板押え部材の延設部の少なくとも一方が、自然状態で内方に向いていることを特徴とする扉の板押え構造。
【発明の詳細な説明】
【０００１】
【発明の属する技術分野】
本発明は、扉の板押え構造、詳しくは建具等の扉にガラス板等の板材を嵌め込んで固定するための扉の板押え構造に関し、建具等の製造技術の分野に属する。
【０００２】
【従来の技術】
建具の扉において、採光を図ったり装飾性を付与するため、扉に形成した開口部にガラス板等の板材を嵌め込むことがある。その場合、作業容易に板材を嵌め込む構造としては、例えば特許文献１及び特許文献２に記載のものがある。
【０００３】
特許文献１及び特許文献２に記載の構造はいずれも、扉の開口部の木口面に配設した第１板押え部材と第２板押え部材との係合を介し、装飾性を維持しながら両板押え部材でガラス板を挟持することで、ガラス板を開口部に固定するものである。
【０００４】
【特許文献１】
特開平１１−３１１０６５号公報（図１）
【特許文献２】
意匠登録第１０５６３４６号公報（正面図）
【０００５】
【発明が解決しようとする課題】
ところで、上記のような扉の板押え構造においてもなお、以下のような不具合が生じることがある。
【０００６】
まず、特許文献１に記載の構造では、釘や接着剤や両面接着テープ等を介さない固定構造であるため作業性に優れるものの、第１板押え部材と第２板押え部材とをガラス板の面に垂直な方向に係合させるから、ガラス板に作用する風圧に対しては固定力は弱く、係合が解除されてガラス板が開口部から脱落する可能性がある。
【０００７】
一方、特許文献２に記載の構造では、上記特許文献１に記載の構造とは異なり、第１板押え部材と第２板押え部材とをガラス板の面に平行な方向に係合させる固定構造であるため上記不具合が効果的に解消されるものの、開口部の木口面に第１板押え部材を安定的に配設するために釘や接着剤や両面接着テープ等を用いる必要があるから、作業性の面でなお問題が生じることがある。また、釘や接着剤や両面接着テープ等を用いない場合にも、木口面に第１板押え部材を配設するための溝形成加工が必要となり、扉本体の価格を高騰させるという問題が生じることがある。
【０００８】
そこで、本発明は、以上の現状に鑑み、建具等の扉にガラス板等の板材を嵌め込んで固定する場合に、作業性に優れると共に堅固に固定可能で、しかも大幅な価格高騰を招くことのない扉の板押え構造の提供を課題とする。
【０００９】
【課題を解決するための手段】
上記課題を解決するため、本発明は次のように構成したことを特徴とする。
【００１０】
すなわち、請求項１に記載の発明は、扉本体に設けられた開口部に嵌め込まれる板材を、その周縁部の表裏両側から細長い第１板押え部材と第２板押え部材とで挟持することによって固定する扉の板押え構造に関するもので、第１板押え部材は、上記扉本体の開口部の木口面において上記板材の周縁部の表裏一方側に位置する突起部と、該突起部から扉本体の表裏一方の側面に沿うように延びる延設部と、該突起部から木口面に沿って延びる平坦部と、該平坦部における上記突起部と板材を挟んで反対側に突設された係合部とを有すると共に、第２板押え部材は、上記第１板押え部材の係合部と板材との間に上記開口部内方から該板材の面に平行に挿入されて第１板押え部材の係合部に係合し、この状態で第１板押え部材の突起部との間で板材の周縁部を挟持する挟持部と、該挟持部の開口部内方側の端部から扉本体の表裏他方側に延びる平坦部と、該平坦部から扉本体の表裏他方の側面に沿うように延びる延設部と、該延設部に設けられて、扉本体の木口面に係合するストッパ部とを有しており、かつ、上記第１板押え部材の延設部と第２板押え部材の延設部の少なくとも一方が、自然状態で内方に向いていることを特徴とする。
【００１１】
この発明によれば、第１板押え部材と第２板押え部材との係合を介してこれら両板押え部材を一体化しつつ木口面に配設することができる。
【００１２】
その場合、第１板押え部材の延設部と第２板押え部材の延設部とが設けられているから、両延設部で扉本体を挟み付けるように両板押え部材を配設することが可能となり、その結果、第１板押え部材の突起部と第２板押え部材の挟持部とによる板材の固定が確実となる。すなわち、板材の固定に際しては釘や接着剤や両面接着テープ等を用いずともよく、開口部への板材の嵌め込み作業性が向上する。また、木口面に対する溝形成加工等の付帯加工は不要であるから、扉本体の価格を高騰させることはない。
【００１３】
そして、上記両延設部が扉本体の木口面及び該木口面近傍の側面を確実に覆うことになるから、扉における装飾性が良好に維持される。
【００１４】
その上で、両板押え部材は、扉本体の開口部内方から板材の面に平行な方向に係合されるから、例えば板材に風圧が作用してもこの係合は容易なことでは解除されず、堅固な板材の固定構造が実現される。
【００１５】
また、第２板押え部材の挟持部に第1板押え部材の係合部に係合する係合部を兼ねさせるから、この第２板押え部材の構成部位が減少して構成が簡素化される。
【００１６】
また、第１板押え部材に対して第２板押え部材を押圧したとき、ストッパ部が木口面に押込方向から係合することにより、第２板押え部材の過度の押し込みが阻止され、装飾性が維持されることになる。
【００１７】
そして、第１板押え部材と第２板押え部材とを重ね合わせて係合させるとき、両板押え部材のうちの少なくとも一方の延設部は扉本体の側面に沿って押し広げられるようになる。したがって、第１板押え部材の延設部と第２板押え部材の延設部とで扉本体を挟み付けたとき、上記内方に向いた延設部の弾性反発力により、これら一対の延設部による扉本体の挟み付けが強固となり、木口面への両板押え部材の配設ひいては両板押え部材による板材の固定が一層確実となる。
【００１８】
なお、板材には、ガラス板をはじめ、鏡板、樹脂板、木板、金属板等が含まれる。
【００１９】
【発明の実施の形態】
以下、本発明の実施の形態について説明する。
【００２０】
図１及び図２に示すように、この実施の形態に係る板押え構造を適用した扉１は、主要構成部材の木材でなる扉本体１０の上方寄りの箇所に矩形の開口部１１が形成されており、該開口部１１には採光のためのガラス板２０が、それぞれ４つの第１板押え部材３０…３０と第２板押え部材（図２には一つのみ示す）４０…４０とを用いて嵌め込まれている。
【００２１】
本発明の特徴部分である比較的長尺物の第１及び第２板押え部材３０…３０，４０…４０は開口部１１の上下左右４箇所の木口面（図２には一つのみ示す）１２…１２に配設されているが、ここでは便宜上、開口部１１の下方箇所における板押え構造を取り上げて詳述する。
【００２２】
図２に示すように、第１板押え部材３０は断面が折曲形状様とされており、扉１が閉じたときにガラス板２０の表側Ｏに位置する突起部３１と、該突起部３１から扉本体１０の表側Ｏの側面１３方向に延びる延設部３２と、該突起部３１から木口面１２に沿ってガラス板２０の裏側Ｕ方向に延びる平坦部３３と、ガラス板２０の裏側Ｕに位置する平坦部３３に突設された係合部３４とを有している。そして、係合部３４の基端部は凹陥されている。なお、平坦部３３の裏側Ｕの端部は、木口面１２内に位置するように設定されている。
【００２３】
一方、第２板押え部材４０も断面が折曲形状様とされて、扉１が閉じたときにガラス板２０の裏側Ｕに位置する第１板押え部材３０の平坦部３３に重ねて配置されており、この平坦部３３に対向する平坦部４１と、該平坦部４１からガラス板２０に沿って第１板押え部材３０の平坦部３３方向に延びる挟持部４２と、該平坦部４１から扉本体１０の裏側Ｕの側面１４方向に延びる延設部４３とを有している。そして、挟持部４２の先端部は、前述した第１板押え部材３０の係合部３４の基端部に嵌合可能に膨出している。また、図中二点鎖線で示すように、延設部４３は自然状態で内方に向いており、平坦部４１と延設部４３とのなす角度θは９０°以下、一例として８８°に設定されている。さらに、第２板押え部材４０の延設部４３に、該第２板押え部材４０を第１板押え部材３０に重ね合わせたときに、扉本体１０の木口面１２に図例では上方から係合するストッパ部４６が設けられている。
【００２４】
これらの第１及び第２板押え部材３０，４０は、ガラス板２０を挟持するための適度な剛性が要求されることから、熱可塑性の硬質或いは半硬質樹脂からなり、通常生産性に優れた長尺押出し成形によって成形されたのち、所定の長さの長尺物に切断されて得られる。
【００２５】
次に、扉本体１０の開口部１１にガラス板２０を嵌め込んで固定する手順の一例を説明すると共に、本実施の形態の作用を説明する。
【００２６】
図３に示すように、まず、横姿勢とされた扉本体１０の開口部１１の４箇所の木口面（図例では対向する左右一対の木口面のみ示す）１２…１２に、それぞれ第１板押え部材３０…３０を配設する。この場合、第１板押え部材３０の延設部３２を扉本体１０の表側Ｏの側面１３に沿わせることにより、第１板押え部材３０は扉本体１０に対して位置決めされることになる。なお、第１板押え部材３０を木口面１２に配設するに際し、釘や接着剤や両面接着テープ等を用いて第１板押え部材３０を木口面１２に仮止めしてもよい。
【００２７】
次いで、実線で示すガラス板２０を上方から若干のクリアランスをもって第１板押え部材３０の係合部３４に沿って落とし込み、二点鎖線で示すように該ガラス板２０の周縁部を第１板押え部材３０の突起部３１に支持させる。その場合、前述したように、第１板押え部材３０が扉本体１０に対して位置決めされているから、ガラス板２０も位置決めされることになる。
【００２８】
そして、ガラス板２０の上方から、第２板押え部材４０をガラス板２０の裏側Ｕに位置する第１板押え部材３０の平坦部３３に重ねて配設すると共に、延設部４３を扉本体１０の裏側Ｕの側面１４に沿わせつつ、この第２板押え部材４０を第１板押え部材３０の平坦部３３方向に二点鎖線で示すガラス板２０の面に沿って適宜押圧力で押し付け、第２板押え部材４０の挟持部４２と第１板押え部材３０の係合部３４とを膨出部位及び凹陥部位を介して係合させる。
【００２９】
この係合により、両板押え部材３０，４０が一体化しつつ、両板押え部材３０，４０の延設部３２，４３で扉本体１０を挟み込むようになる。つまり、両板押え部材３０，４０は一体に扉本体１０の木口面１２に固定され、ひいてはガラス板２０の周縁部は、扉本体１０の開口部１１の上下左右の各木口面１２において、第１板押え部材３０の突起部３１と第２板押え部材４０の挟持部４２とにより挟持されて、ガラス板２０は扉本体１０の開口部１１に固定されることになる。
【００３０】
その場合、係合時における第２板押え部材４０の平坦部４１の第１板押え部材３０の平坦部３３からの高さａと、同じく第１板押え部材３０の突起部３１の平坦部３３からの高さｂとは、第１板押え部材３０の係合部３４の平坦部３３からの高さｃの２倍を超える所定の寸法に設定されている。すなわち、第２板押え部材４０を第１板押え部材３０に重ね合わせて係合させると共に、例えば図例上左側の木口面１２が下側となるように扉本体１０を縦姿勢としたときには、ガラス板２０は二点鎖線で示すように位置することになって下端部が第１板押え部材３０の平坦部３３で支持され、かつ、第１板押え部材３０の突起部３１と第２板押え部材４０の挟持部４２とによってガラス板２０の周縁部は表裏両側から挟持される。
【００３１】
一方、図例上右側つまり扉本体１０を縦姿勢としたときの上側の木口面１２では、ガラス板２０の上端部と第１板押え部材３０の平坦部３３との間の隙間は、ガラス板２０を嵌め込むときの前述したクリアランスを加味して係合部３４の高さｃの２倍を若干超える寸法になるが、第１板押え部材３０の突起部３１の高さｂと第２板押え部材４０の挟持部４２の高さａとを、第１板押え部材３０の係合部３４の高さｃの２倍を超える所定の寸法に設定することにより、第１板押え部材３０の突起部３１と第２板押え部材４０の挟持部４２とがガラス板２０の周縁部を確実に挟持することになる。つまり、ガラス板２０は各木口面１２において両板押え部材３０，４０によって良好に挟持されて、扉本体１０の開口部１１から脱落することはない。
【００３２】
なお、図例及び前述したガラス板２０の嵌め込み姿勢とは異なる姿勢でガラス板２０の嵌め込み作業を行ってもよい。例えば、ガラス板２０の一方の端部を対応する第１板押え部材３０の平坦部３３ないし突起部３１にあてがいつつ、次いで、他方の端部が対応する第１板押え部材３０の係合部３４に干渉しないように嵌め込んでもよい。この場合には、対向する一対の木口面１２，１２において、該木口面１２，１２にそれぞれ配設する第１板押え部材３０の突起部３１の高さｂと第２板押え部材４０の挟持部４２の高さａとを、前述したような第１板押え部材３０の係合部３４の高さｃの２倍を超える寸法に設定しなくてもよく、例えば、高さｃを若干超える所定の寸法に設定することができる。
【００３３】
このように、第１及び第２板押え部材３０，４０を用いて扉本体１０の開口部１１にガラス板２０を嵌め込む場合、両板押え部材３０，４０の係合を介して両板押え部材３０，４０を一体化しつつ木口面１２に配設することができる。
【００３４】
その場合、第１板押え部材３０の延設部３２と第２板押え部材４０の延設部４３とが設けられているから、両延設部３２，４３で扉本体１０を挟み付けるように両板押え部材３０，４０を配設することが可能となり、その結果、第１板押え部材３０の突起部３１と第２板押え部材４０の挟持部４２とによるガラス板２０の固定が確実となる。すなわち、ガラス板２０の固定に際しては釘や接着剤や両面接着テープ等を用いずともよく、開口部１１へのガラス板２０の嵌め込み作業性が向上する。また、木口面１２…１２に対する溝形成加工等の付帯加工は不要であるから、扉本体１０の価格を高騰させることはない。
【００３５】
さらに、第２板押え部材４０の延設部４３は、扉本体１０の厚み公差に良好に追随して扉本体１０の木口面１２と側面１４とを覆うことが期待され、図２において矢印Ｂで示す延設部４３と側面１４との間に不用意に隙間が生じることはない。一方、矢印Ｃで示すように、第１板押え部材３０の延設部３２は側面１３に沿うように位置しているので、この延設部３２と側面１３との間に隙間が生じることはない。すなわち、両延設部３２，４３が扉本体１０の木口面１２及び該木口面１２近傍の側面１３，１４を確実に覆うことになるから、扉１における装飾性が良好に維持される。
【００３６】
その上で、両板押え部材３０，４０は、扉本体１０の開口部１１内方からガラス板２０の面に平行な方向に係合されるから、例えば図３において矢印Ｄで示すようにガラス板２０に風圧が作用しても、この係合は容易なことでは解除されず、堅固なガラス板２０の固定構造が実現される。
【００３７】
また、第２板押え部材４０の挟持部４２に第1板押え部材３０の係合部３４に係合する係合部を兼ねさせるから、構成部位が減少して構成が簡素化される。
【００３８】
そして、第１板押え部材３０に対して第２板押え部材４０を押圧したとき、ストッパ部４６が木口面１２に上方から係合することにより、第２板押え部材４０の図２における右側部分の過度の押し込みが阻止され、装飾性が維持されることになる。
【００３９】
また、図２に示すように、二点鎖線で示す自然状態において、第２板押え部材４０の平坦部４１と延設部４３とのなす角度θは９０°以下、一例として８８°に設定されているから、第１板押え部材３０と第２板押え部材４０とを重ね合わせて係合させるとき、第２板押え部材４０の延設部４３は扉本体１０の側面１４に沿って押し広げられるようになる。したがって、第１板押え部材３０の延設部３２と第２板押え部材４０の延設部４３とで扉本体１０を挟み付けたとき、該延設部４３の弾性反発力のため、これら一対の延設部３２，４３による扉本体１０の挟み付けが強固となり、木口面１２への両板押え部材３０，４０の配設ひいては両板押え部材３０，４０によるガラス板２０の固定が一層確実となる。
【００４０】
なお、上記実施の形態で説明した板押え構造は一例であって、本発明はこれらに限定されるものではなく、前述した請求項に記載の範囲に含まれるものであればよい。
【００４１】
例えば、上記実施の形態では、第２板押え部材４０において延設部４３は自然状態で内方に向いており、平坦部４１と延設部４３とのなす角度θは９０°以下、一例として８８°に設定されていたが、第１板押え部材３０において延設部３２が内方に向くようにしてもよい。また、両板押え部材３０，４０共にこのような構成としてもよい。
【００４２】
【発明の効果】
以上説明したように、本発明によれば、建具等の扉にガラス板等の板材を嵌め込んで固定する場合に、作業性に優れると共に堅固に固定可能で、しかも大幅な価格高騰を招くことのない扉の板押え構造が提供される。本発明は、建具をはじめ、食器棚、茶箪笥、洋服ダンス、クローゼット等の製造技術の分野に広く好適である。
【図面の簡単な説明】
【図１】  本発明の実施の形態に係る板押え構造を適用した扉の全体正面図である。
【図２】  図１のＡ−Ａ線による拡大断面図である。
【図３】  扉本体の開口部にガラス板を嵌め込む作業を説明するための図である。
【符号の説明】
１        扉
１０      扉本体
１１      開口部
１２      木口面
１３      側面
１４      側面
２０      ガラス板（板材）
３０      第１板押え部材
３１      突起部
３２      延設部
３３      平坦部
３４      係合部
４０      第２板押え部材
４１ 平坦部
４２      挟持部
４３      延設部
４６ ストッパ部
【図１】
0004021357.tif 000002
【図２】
0004021357.tif 000003
【図３】
0004021357.tif 000004